(57)【要約】      （修正有） 【課題】駆動回路の損傷を防止できるプラズマディスプレイ装置及びその駆動方法を提供する。【解決手段】外部から入力される映像信号によってＮ番目ラインの所定個数以上のセルがターンオンされて、Ｎ＋１番目ラインの所定個数以上のセルがターンオフされる交番パターンを認識するパターン認識部と、映像信号をサブフィールド単位でマッピングするサブフィールドマッピング部と、パターン認識部が交番パターンを認識する際、１フレーム間の全体サブフィールドの中、所定個数のサブフィールドが使われるように制御するコントロール部とを含む。交番パターンを認識する時、１フレーム間、全体サブフィールドの中、所定個数のサブフィールドが使われるように制御することにより、発生するピーク電流を減少させてサステイン駆動部及びスキャン駆動部の損傷を抑制する。【選択図】図６
2006018305.tif 000002
【特許請求の範囲】
【請求項１】
外部から入力される映像信号によってＮ番目ラインの所定個数以上のセルがターンオンされて、Ｎ＋１番目ラインの所定個数以上のセルがターンオフされる交番パターンを認識するパターン認識部と、
前記映像信号をサブフィールド単位で該サブフィールドにマッピングするサブフィールドマッピング部と、
前記パターン認識部が前記交番パターンを認識する際、１フレーム間の全体サブフィールドの中、所定個数のサブフィールドが使われるように制御するコントロール部とを含むことを特徴とするプラズマディスプレイ装置。
【請求項２】
前記パターン認識部は、
１フレーム間、少なくとも２つ以上のセルを中心セルに設定する中心セル設定部と、
前記中心セルの階調値と水平方向に隣接するセルの階調値との差を第１しきい値と比較する第１しきい値比較部と、
前記中心セルの階調値と垂直方向に隣接するセルの階調値との差を第２しきい値と比較する第２しきい値比較部と、
前記第１しきい値以下であり、第２しきい値以上である中心セルの個数を演算して第３しきい値と比較する第３しきい値比較部と、
前記第３しきい値以上である時、前記フレームの映像信号を交番パターンで決定して、交番パターン認識情報を生成するパターン認識情報生成部とを含むことを特徴とする、請求項１記載のプラズマディスプレイ装置。
【請求項３】
前記第１しきい値比較部は、前記中心セルを中心にして、少なくとも２つ以上の隣接するセルと階調値とを比較することを特徴とする、請求項２記載のプラズマディスプレイ装置。
【請求項４】
外部から入力される映像信号をサブフィールド単位で該サブフィールドにマッピングするサブフィールドマッピング部と、
前記マッピングされた映像信号のマッピングコードを比較し、Ｎ番目ラインの所定個数以上のセルがターンオンされて、Ｎ＋１番目ラインの所定個数以上のセルがターンオフされる交番パターンを認識するパターン認識部と、
前記パターン認識部が前記交番パターンを認識する時、１フレーム間の全体サブフィールドの中、所定個数のサブフィールドが使われるように制御するコントロール部とを含むことを特徴とするプラズマディスプレイ装置。
【請求項５】
前記パターン認識部は、
１つのサブフィールド期間の間、少なくとも２つ以上のセルを中心セルに設定する中心セル設定部と、
前記サブフィールド期間の間、前記中心セルと同一なラインで前記中心セルと同一なマッピングコードを有するセルの個数を第１しきい値と比較する第１しきい値比較部と、
前記サブフィールド期間の間、前記中心セルの次のラインで前記中心セルと互いに異なるマッピングコードを有するセルの個数を第２しきい値と比較する第２しきい値比較部と、
前記第１比較値及び第２しきい値以上である中心セルの個数を演算し、第３しきい値と比較する第３しきい値比較部と、
前記第３しきい値以上である時、１フレーム間、前記サブフィールドの映像信号を交番パターンで決定して、交番パターン認識情報を生成するパターン認識情報生成部とを含むことを特徴とする、請求項４記載のプラズマディスプレイ装置。
【請求項６】
前記サブフィールドがマッピングされた映像信号をサブフィールド別に再整列するデータ整列部と、
前記コントロール部の制御下に、前記整列された映像信号に該当するアドレスパルスをアドレス電極に印加するデータ駆動部とを更に含むことを特徴とする、請求項１ないし５の中、いずれかの１項記載のプラズマディスプレイ装置。
【請求項７】
前記コントロール部は、
前記パターン認識の際、遮断されるサブフィールドを選択して、前記選択されたサブフィールドのアドレス期間の間、前記データ駆動部のスイッチング素子をターンオフさせる遮断信号を前記データ駆動部に印加することを特徴とする、請求項６記載のプラズマディスプレイ装置。
【請求項８】
前記コントロール部は、
前記遮断されるサブフィールドが互いに連続しないように制御することを特徴とする、請求項７記載のプラズマディスプレイ装置。
【請求項９】
前記コントロール部は、
１フレーム間に使われるサブフィールドによって印加されるサステインパルス個数を制御することを特徴とする、請求項６記載のプラズマディスプレイ装置。
【請求項１０】
外部から入力される映像信号によってＮ番目ラインの所定個数以上のセルがターンオンされて、Ｎ＋１番目ラインの所定個数以上のセルがターンオフされる交番パターンを認識するパターン認識ステップと、
前記映像信号をサブフィールド単位で該サブフィールドにマッピングするサブフィールドマッピングステップと、
前記パターン認識ステップにおいて前記交番パターンが認識される際、１フレーム間の全体サブフィールドの中、所定個数のサブフィールドが使われるように制御するコントロールステップとを含むことを特徴とするプラズマディスプレイ装置の駆動方法。
【請求項１１】
前記パターン認識ステップは、
１フレーム間、少なくとも２つ以上のセルを中心セルに設定する中心セル設定ステップと、
前記中心セルの階調値と水平方向に隣接するセルの階調値との差を第１しきい値と比較する第１しきい値比較ステップと、
前記中心セルの階調値と垂直方向に隣接するセルの階調値との差を第２しきい値と比較する第２しきい値比較ステップと、
前記第１しきい値以下であり、第２しきい値以上である、中心セルの個数を演算し、第３しきい値と比較する第３しきい値比較ステップと、
前記第３しきい値以上の際、前記フレームの映像信号を交番パターンで決定して、交番パターン認識情報を生成するパターン認識情報生成ステップとを含むことを特徴とする、請求項１０記載のプラズマディスプレイ装置の駆動方法。
【請求項１２】
前記第１しきい値比較ステップでは、
前記中心セルを中心にして、少なくとも２つ以上の隣接するセルと階調値とを比較することを特徴とする、請求項１１記載のプラズマディスプレイ装置の駆動方法。
【請求項１３】
外部から入力される映像信号をサブフィールド単位で該サブフィールドにマッピングするサブフィールドマッピングステップと、
前記マッピングされた映像信号のマッピングコードとを比較し、Ｎ番目ラインの所定個数以上のセルがターンオンされて、Ｎ＋１番目ラインの所定個数以上のセルがターンオフされる交番パターンを認識するパターン認識ステップと、
前記パターン認識ステップにおいて前記交番パターンが認識される際、１フレーム間の全体サブフィールドの中、所定個数のサブフィールドが使われるように制御するコントロールステップとを含むことを特徴とするプラズマディスプレイ装置の駆動方法。
【請求項１４】
前記パターン認識ステップは、
１つのサブフィールド期間の間、少なくとも２つ以上のセルを中心セルに設定する中心セル設定ステップと、
前記サブフィールド期間の間、前記中心セルと同一なラインで前記中心セルと同一なマッピングコードを有するセルの個数を第１しきい値と比較する第１しきい値比較ステップと、
前記サブフィールド期間の間、前記中心セルの次のラインで前記中心セルと互いに異なるマッピングコードを有するセルの個数を第２しきい値と比較する第２しきい値比較ステップと、
前記第１比較値及び第２しきい値以上である中心セルの個数を演算し、第３しきい値と比較する第３しきい値比較ステップと、
前記第３しきい値以上である時、１フレーム間、前記サブフィールドの映像信号を交番パターンで決定して、交番パターン認識情報を生成するパターン認識情報生成ステップとを含むことを特徴とする、請求項１３記載のプラズマディスプレイ装置の駆動方法。
【請求項１５】
前記サブフィールドがマッピングされた映像信号をサブフィールド別に再整列するデータ整列ステップと、
前記コントロールステップの制御によって前記整列された映像信号に該当するアドレスパルスをアドレス電極に印加するデータ駆動ステップとを更に含むことを特徴とする、請求項１０ないし１４の中、いずれかの１項記載のプラズマディスプレイ装置の駆動方法。
【請求項１６】
前記コントロールステップは、
前記パターン認識の際、遮断されるサブフィールドを選択して、前記選択されたサブフィールドのアドレス期間の間、前記データ駆動ステップに遮断信号を印加することを特徴とする、請求項１５記載のプラズマディスプレイ装置の駆動方法。
【請求項１７】
前記コントロールステップは、
前記遮断されるサブフィールドが互いに連続しないように制御することを特徴とする、請求項１６記載のプラズマディスプレイ装置の駆動方法。
【請求項１８】
前記コントロールステップは、
１フレーム間に使われるサブフィールドによって印加されるサステインパルスの個数を制御することを特徴とする、請求項１５記載のプラズマディスプレイ装置の駆動方法。
【発明の詳細な説明】
【技術分野】
【０００１】
本発明は、プラズマディスプレイ装置に関し、より詳細には、駆動回路の損傷を防止できるプラズマディスプレイ装置及びその駆動方法に関する。
【背景技術】
【０００２】
一般に、プラズマディスプレイ装置（Ｐｌａｓｍａ  Ｄｉｓｐｌａｙ  Ａｐｐａｒａｔｕｓ）は、前面基板と背面基板との間に形成された隔壁が１つの単位セルをなすプラズマディスプレイパネルを含む。各セル内にはネオン（Ｎｅ）、ヘリウム（Ｈｅ）、または、ネオン及びヘリウムの混合気体（Ｎｅ＋Ｈｅ）のような主放電気体と少量のキセノンを含有する不活性ガスが充填されている。高周波電圧により放電する際、不活性ガスは真空紫外線（Ｖａｃｕｕｍ  Ｕｌｔｒａｖｉｏｌｅｔ  ｒａｙｓ）を発生して、隔壁間に形成された蛍光体を発光させて画像が具現される。このようなプラズマディスプレイ装置は薄くて軽い構成が可能であるので、次世代表示装置として脚光を浴びている。
【０００３】
図１は、一般的なプラズマディスプレイパネルの構造を示す図面である。
【０００４】
図１に示すように、プラズマディスプレイパネルは、画像がディスプレイされる表示面である前面ガラス１０１にスキャン電極１０２とサステイン電極１０３とが対を成して形成された複数の維持電極対が配列された前面基板１００及び背面をなす背面ガラス１１１上に上述の複数の維持電極対と交叉するように複数のアドレス電極１１３が配列された背面基板１１０が一定距離を置いて平行するように結合する。
【０００５】
前面基板１００は、１つの放電セルで相互放電させて、セルの発光を維持するためのスキャン電極１０２及びサステイン電極１０３、即ち、透明なＩＴＯ（Ｉｎｄｉｕｍ  Ｔｈｉｎ  Ｏｘｉｄｅ）物質で形成された透明電極（ａ）と金属材質で製作されたバス電極（ｂ）で備えられたスキャン電極及びサステイン電極１０３の放電電流を制限して、電極対間を絶縁させてなる１つ以上の誘電体層１０４により覆われる。誘電体層１０４の全面には放電条件を容易にするために酸化マグネシウム（ＭｇＯ）を蒸着した保護層１０５が形成される。
【０００６】
背面基板１１０は、複数個の放電空間、即ち、放電セルを形成させるためのストライプタイプ（または、ウェルタイプ）の隔壁１１２が平行を維持して配列される。また、アドレス放電を遂行する多数のアドレス電極１１３が隔壁１１２に対し平行するように配置される。背面基板１１０の上側面にはサステイン放電の際、画像表示のための可視光線を放出するＲ、Ｇ、Ｂ蛍光体１１４が塗布される。アドレス電極１１３と蛍光体１１４との間にはアドレス電極１１３を保護するための誘電体層１１５が形成される。
【０００７】
図２は、従来のプラズマディスプレイ装置の画像を具現する方法を示す図面である。
【０００８】
図２に示すように、プラズマディスプレイ装置は１つのフレーム期間を放電回数が互いに異なる複数個のサブフィールドに分けて、入力される映像信号の階調値に該当するサブフィールド期間にプラズマディスプレイパネルを発光させることにより、画像が具現される。
【０００９】
各サブフィールドは放電を均一に起こすためのリセット期間、放電セルを選択するためのアドレス期間及び放電回数によって階調を具現するサステイン期間に分けられる。例えば、２５６階調で画像を表示しようとする場合に、１/６０秒に該当するフレーム期間（１６．６７ｍｓ）は８個のサブフィールドに分かれることになる。
【００１０】
併せて、８個のサブフィールドの各々は、リセット期間、アドレス期間及びサステイン期間にまた分かれることになる。ここで、サステイン期間は各サブフィールドで２ｎ（ｎ=０、１、２、３、４、５、６、７）の割合で増加する。このように、各サブフィールドでサステイン期間が変わることになるので、画像の階調（Ｇｒａｙ  ｌｅｖｅｌ）を具現できることになる。
【００１１】
図３は、従来のプラズマディスプレイ装置を概略的に示す図面である。
【００１２】
図３に示すように、従来のプラズマディスプレイ装置は、プラズマディスプレイパネル３００、映像信号処理部３１０、サブフィールドマッピング部３２０、データ整列部３３０、データ駆動部３４０、スキャン駆動部３５０、サステイン駆動部３６０及びコントロール部３７０を備える。
【００１３】
プラズマディスプレイパネル３００は、スキャン電極（Ｙ１ないしＹｎ）及びサステイン電極（Ｚ）と、前記スキャン電極（Ｙ１ないしＹｎ）及びサステイン電極（Ｚ）と交叉する複数のアドレス電極（Ｘ１ないしＸｍ）が形成される。
【００１４】
映像信号処理部３１０は外部から入力される映像信号をプラズマディスプレイ装置を駆動するための映像信号に変換する。このような映像信号処理部３１０には映像信号を逆ガンマ補正するための逆ガンマ補正部、映像信号の利得値を調節する利得制御部及び階調表現力を向上させるためのハーフトーン部（図示していない）が含まれる。
【００１５】
サブフィールドマッピング部３２０は、映像信号処理部３１０から入力される映像信号をサブフィールド単位で該サブフィールドにマッピングする。
【００１６】
データ整列部３３０は、サブフィールドマッピング部３２０でサブフィールド単位でマッピングされた映像信号をサブフィールド別に再整列する。
【００１７】
データ駆動部３４０は整列された映像信号に該当するアドレスパルスをプラズマディスプレイパネル３００に形成されたアドレス電極（Ｘ１ないしＸｍ）に印加する。
【００１８】
スキャン駆動部３５０はプラズマディスプレイパネル３００に形成されたスキャン電極（Ｙ１ないしＹｎ）を駆動する。スキャン駆動部３５０は、リセット期間の間セットアップパルスとセットダウンパルスを印加して、アドレス期間の間スキャンパルスを順次に印加して、サステイン期間の間サステインパルスを印加する。
【００１９】
サステイン駆動部３６０はプラズマディスプレイパネル３００に共通電極をなして形成されたサステイン電極（Ｚ）を駆動する。サステイン駆動部３６０は、アドレス期間の間正極性のバイアスパルスを印加して、サステイン期間の間サステイン放電をするための少なくとも１つ以上のサステインパルスを前記スキャンサステインパルスと交番して印加する。
【００２０】
コントロール部３７０は、リセット期間、アドレス期間、または、サステイン期間の間、データ駆動部３４０、スキャン駆動部３５０及びサステイン駆動部３６０から印加される各々の駆動パルスのタイミングを制御する。また、コントロール部３７０は外部から入力される映像信号によってデータ整列部３３０に再整列された映像信号が順に読み出されてデータ駆動部３４０にスキャンライン分量ずつ供給されるように制御する。
【００２１】
一方、従来のプラズマディスプレイ装置は、特定のパターンを画面に具現する際、各々の駆動部３３０、３４０、３５０に負担を与える問題点がある。特に、交番パターン（ａｌｔｅｒｎａｔｅ  ｐａｔｔｅｒｎ）具現の際、スキャン駆動部３５０とサステイン駆動部３６０の回路素子が非常に損傷する。ここで、交番パターンはターンオンされるラインとターンオフされるラインが交番する画面を意味して、交番パターンが略１分程度持続する場合、サステイン駆動部３６０が破損して、スキャン駆動部３５０にも発熱が深化する。これは、次の図４及び図５を通じて説明される原因に従う。
【００２２】
図４は、従来の交番パターンが具現されるプラズマディスプレイ装置を示す図面であり、図５は、従来の交番パターンを具現するアドレスパルスの波形図である。
【００２３】
図４と図５を結付けて考察すると、サステイン駆動部４１０は、正極性のバイアスパルスを供給するバイアス電圧源（Ｖｚｂ）とサステインパルスを供給するサステイン電圧源（Ｖｓ）からパルスを供給するための各々のスイッチング素子と駆動時のエネルギーを回収、または、供給するためのエネルギー回収回路４１３を含む。また、スキャン駆動部４２０は、セットアップパルス、セットダウンパルス、スキャンパルス及びサステインパルスを供給するための各々のスイッチング素子とエネルギー回収回路（図示していない）を含む。
【００２４】
ここで、交番パターンに該当する映像信号がプラズマディスプレイ装置に入力されると、１つのラインがスキャンされる際、全てのアドレス電極にはＨＩＧＨレベルのアドレスパルスが印加されて、次回のラインがスキャンされる際、全てのアドレス電極にはＬＯＷレベルのアドレスパルスが印加される。
【００２５】
サステイン駆動部４１０では、アドレスパルスが印加されることにより、アドレス電極（Ｘ）とサステイン電極（Ｚ）との間に形成されるキャパシタンス成分（Ｃ１）によって第１ピーク電流（ＩＰ１）と第２ピーク電流（ＩＰ２）が流れる。即ち、ＬＯＷレベルからＨＩＧＨレベルに印加されるアドレスパルスがアドレス電極に印加される際、第１ピーク電流（ＩＰ１）が発生して、ＨＩＧＨレベルからＬＯＷレベルに印加されるアドレスパルスがアドレス電極に印加される際、第２ピーク電流（ＩＰ２）が発生する。この際、アドレス期間の間ターンオンされている第１スイッチ４１１と第２スイッチ４１２とを通じて第１ピーク電流（ＩＰ１）と第２ピーク電流（ＩＰ２）が流れながら、過度な発熱によって破損する問題点が発生する。
【００２６】
スキャン駆動部４２０では、アドレスパルスが印加されることにより、アドレス電極（Ｘ）とスキャン電極（Ｚ）との間に形成されるキャパシタンス成分（Ｃ２）によって第３ピーク電流（ＩＰ３）と第４ピーク電流（ＩＰ４）が流れる。即ち、ＬＯＷレベルからＨＩＧＨレベルに印加されるアドレスパルスがアドレス電極に印加される際、第３ピーク電流（ＩＰ３）が発生して、ＨＩＧＨレベルからＬＯＷレベルに印加されるアドレスパルスがアドレス電極に印加される際、第４ピーク電流（ＩＰ４）が発生する。この際、アドレス期間の間スキャンパルスを印加するためにターンオンされている第３スイッチ４２１と第４スイッチ４２２を通じて第３ピーク電流（ＩＰ３）と第４ピーク電流（ＩＰ４）が流れながら、過度な発熱によって破損する問題点が発生する。
【発明の開示】
【発明が解決しようとする課題】
【００２７】
本発明は、交番パターン具現の際、データ駆動部を制御してアドレスパルスの回数を減らすことにより、サステイン駆動部とスキャン駆動部の損傷を防止できるプラズマディスプレイ装置及びその駆動方法を提供することをその目的とする。
【課題を解決するための手段】
【００２８】
本発明の第１実施の形態に係るプラズマディスプレイ装置は、外部から入力される映像信号によってＮ番目ラインの所定個数以上のセルがターンオンされて、Ｎ＋１番目ラインの所定個数以上のセルがターンオフされる交番パターンを認識するパターン認識部と、前記映像信号をサブフィールド単位で該サブフィールドにマッピングするサブフィールドマッピング部と、前記パターン認識部が前記交番パターンを認識する際、１フレーム間の全体サブフィールドの中、所定個数のサブフィールドが使われるように制御するコントロール部とを含むことを特徴とする。
【００２９】
本発明の第１実施の形態に係るパターン認識部は、１フレーム間、少なくとも２つ以上のセルを中心セルに設定する中心セル設定部と、前記中心セルの階調値と水平方向に隣接するセルの階調値との差を第１しきい値と比較する第１しきい値比較部と、前記中心セルの階調値と垂直方向に隣接するセルの階調値との差を第２しきい値と比較する第２しきい値比較部と、前記第１しきい値以下であり、第２しきい値以上である中心セルの個数を演算して第３しきい値と比較する第３しきい値比較部と、前記第３しきい値以上である時、前記フレームの映像信号を交番パターンで決定して、交番パターン認識情報を生成するパターン認識情報生成部とを含むことを特徴とする。
【００３０】
本発明の第１しきい値比較部は、前記中心セルを中心にして、少なくとも２つ以上の隣接するセルと階調値とを比較することを特徴とする。
【００３１】
本発明の第２実施の形態に係るプラズマディスプレイ装置は、外部から入力される映像信号をサブフィールド単位で該サブフィールドにマッピングするサブフィールドマッピング部と、前記マッピングされた映像信号のマッピングコードを比較し、Ｎ番目ラインの所定個数以上のセルがターンオンされて、Ｎ＋１番目ラインの所定個数以上のセルがターンオフされる交番パターンを認識するパターン認識部と、前記パターン認識部が前記交番パターンを認識する時、１フレーム間の全体サブフィールドの中、所定個数のサブフィールドが使われるように制御するコントロール部とを含むことを特徴とする。
【００３２】
本発明の第２実施の形態に係るパターン認識部は、１つのサブフィールド期間の間、少なくとも２つ以上のセルを中心セルに設定する中心セル設定部と、前記サブフィールド期間の間、前記中心セルと同一なラインで前記中心セルと同一なマッピングコードを有するセルの個数を第１しきい値と比較する第１しきい値比較部と、前記サブフィールド期間の間、前記中心セルの次のラインで前記中心セルと互いに異なるマッピングコードを有するセルの個数を第２しきい値と比較する第２しきい値比較部と、前記第１比較値及び第２しきい値以上である中心セルの個数を演算し、第３しきい値と比較する第３しきい値比較部と、前記第３しきい値以上である時、１フレーム間、前記サブフィールドの映像信号を交番パターンで決定して、交番パターン認識情報を生成するパターン認識情報生成部とを含むことを特徴とする。
【００３３】
本発明は、サブフィールドがマッピングされた映像信号をサブフィールド別に再整列するデータ整列部と、前記コントロール部の制御下に、前記整列された映像信号に該当するアドレスパルスをアドレス電極に印加するデータ駆動部とを更に含むことを特徴とする。
【００３４】
本発明のコントロール部は、前記パターン認識の際、遮断されるサブフィールドを選択して、前記選択されたサブフィールドのアドレス期間の間、前記データ駆動部のスイッチング素子をターンオフさせる遮断信号を前記データ駆動部に印加することを特徴とする。
【００３５】
本発明のコントロール部は、前記遮断されるサブフィールドが互いに連続しないように制御することを特徴とする。
【００３６】
本発明のコントロール部は、１フレーム間に使われるサブフィールドによって印加されるサステインパルス個数を制御することを特徴とする。
【００３７】
本発明の第１実施の形態に係るプラズマディスプレイ装置の駆動方法は、外部から入力される映像信号によってＮ番目ラインの所定個数以上のセルがターンオンされて、Ｎ＋１番目ラインの所定個数以上のセルがターンオフされる交番パターンを認識するパターン認識ステップと、前記映像信号をサブフィールド単位で該サブフィールドにマッピングするサブフィールドマッピングステップと、前記パターン認識ステップにおいて前記交番パターンが認識される際、１フレーム間の全体サブフィールドの中、所定個数のサブフィールドが使われるように制御するコントロールステップとを含むことを特徴とする。
【００３８】
本発明の第１実施の形態に係るパターン認識ステップは、１フレーム間、少なくとも２つ以上のセルを中心セルに設定する中心セル設定ステップと、前記中心セルの階調値と水平方向に隣接するセルの階調値との差を第１しきい値と比較する第１しきい値比較ステップと、前記中心セルの階調値と垂直方向に隣接するセルの階調値との差を第２しきい値と比較する第２しきい値比較ステップと、前記第１しきい値以下であり、第２しきい値以上である、中心セルの個数を演算し、第３しきい値と比較する第３しきい値比較ステップと、前記第３しきい値以上の際、前記フレームの映像信号を交番パターンで決定して、交番パターン認識情報を生成するパターン認識情報生成ステップとを含むことを特徴とする。
【００３９】
前記第１しきい値比較ステップでは、前記中心セルを中心にして、少なくとも２つ以上の隣接するセルと階調値とを比較することを特徴とする。
【００４０】
本発明の第２実施の形態に係るプラズマディスプレイ装置の駆動方法は、外部から入力される映像信号をサブフィールド単位で該サブフィールドにマッピングするサブフィールドマッピングステップと、前記マッピングされた映像信号のマッピングコードとを比較し、Ｎ番目ラインの所定個数以上のセルがターンオンされて、Ｎ＋１番目ラインの所定個数以上のセルがターンオフされる交番パターンを認識するパターン認識ステップと、前記パターン認識ステップにおいて前記交番パターンが認識される際、１フレーム間の全体サブフィールドの中、所定個数のサブフィールドが使われるように制御するコントロールステップとを含むことを特徴とする。
【００４１】
本発明の第２実施の形態に係るパターン認識ステップは、１つのサブフィールド期間の間、少なくとも２つ以上のセルを中心セルに設定する中心セル設定ステップと、前記サブフィールド期間の間、前記中心セルと同一なラインで前記中心セルと同一なマッピングコードを有するセルの個数を第１しきい値と比較する第１しきい値比較ステップと、前記サブフィールド期間の間、前記中心セルの次のラインで前記中心セルと互いに異なるマッピングコードを有するセルの個数を第２しきい値と比較する第２しきい値比較ステップと、前記第１比較値及び第２しきい値以上である中心セルの個数を演算し、第３しきい値と比較する第３しきい値比較ステップと、前記第３しきい値以上である時、１フレーム間、前記サブフィールドの映像信号を交番パターンで決定して、交番パターン認識情報を生成するパターン認識情報生成ステップとを含むことを特徴とする。
【００４２】
本発明は、サブフィールドがマッピングされた映像信号をサブフィールド別に再整列するデータ整列ステップと、前記コントロールステップの制御によって前記整列された映像信号に該当するアドレスパルスをアドレス電極に印加するデータ駆動ステップとを更に含むことを特徴とする
本発明のコントロールステップは、前記パターン認識の際、遮断されるサブフィールドを選択して、前記選択されたサブフィールドのアドレス期間の間、前記データ駆動ステップに遮断信号を印加することを特徴とする。
【００４３】
本発明のコントロールステップは、前記遮断されるサブフィールドが互いに連続しないように制御することを特徴とする。
【００４４】
本発明のコントロールステップは、１フレーム間に使われるサブフィールドによって印加されるサステインパルスの個数を制御することを特徴とする。
【発明の効果】
【００４５】
本発明に係るプラズマディスプレイ装置及びその駆動方法は、交番パターンを認識する際、１フレームの間、全体サブフィールドの中、所定個数のサブフィールドが使われるように制御することにより、発生するピーク電流を低減させ、サステイン駆動部及びスキャン駆動部の損傷を抑制することができる効果がある。
【発明を実施するための最良の形態】
【００４６】
以下、本発明の実施の形態を添付の図面を参照しながら詳細に説明する。
【００４７】
（第１実施の形態）
図６は、本発明に第１実施の形態に係るプラズマディスプレイ装置を説明するためのブロック図である。 
【００４８】
図６に示すように、本発明の第１実施の形態に係るプラズマディスプレイ装置は、プラズマディスプレイパネル６００、パターン認識部６１０、映像信号処理部６２０、サブフィールドマッピング部６３０、データ整列部６４０、コントロール部６５０、データ駆動部６６０、スキャン駆動部６７０及びサステイン駆動部６８０を含む。
【００４９】
プラズマディスプレイパネル６００はスキャン電極（Ｙ１ないしＹｎ）及びサステイン電極（Ｚ）と、前記スキャン電極（Ｙ１ないしＹｎ）及びサステイン電極（Ｚ）と交叉する複数のアドレス電極（Ｘ１ないしＸｍ）が形成される。
【００５０】
パターン認識部６１０は、外部から入力される映像信号によってＮ番目ラインの所定個数以上のセルがターンオンされて、Ｎ＋１番目ラインの所定個数以上のセルがターンオフされる交番パターンを認識する。即ち、本発明の第１実施の形態に係るパターン認識部６１０は各セルに割り当てられる映像信号の階調値を比較することにより、交番パターンで表示される映像信号を判断する。このために、パターン認識部６１０は中心セルを設定して、予め設定されたしきい値と比較して交番パターンを検出する。これに関するより詳細な説明は、以後の図７及び図８を通じて説明する。
【００５１】
映像信号処理部６２０は、パターン認識部６１０から入力される外部から入力される映像信号をプラズマディスプレイ装置を駆動するための映像信号に変換する。このような映像信号処理部６２０には映像信号を逆ガンマ補正するための逆ガンマ補正部、映像信号の利得値を調節する利得制御部及び階調表現力を向上させるためのハーフトーン部（図示していない）が含まれる。
【００５２】
サブフィールドマッピング部６３０は、映像信号処理部６２０から入力される映像信号をサブフィールド単位で該サブフィールドにマッピングする。
【００５３】
データ整列部６４０はサブフィールドマッピング部６３０でサブフィールド単位でマッピングされた映像信号をサブフィールド別に再整列する。
【００５４】
コントロール部６５０は、リセット期間、アドレス期間、及び、サステイン期間の間、データ駆動部６６０、スキャン駆動部６７０及びサステイン駆動部６８０から印加される各々の駆動パルスのタイミングを制御する。また、コントロール部６５０は外部から入力される映像信号によってデータ整列部６４０に再整列された映像信号が順に読み出されてデータ駆動部６６０にスキャンライン分量ずつ供給されるように制御する。 
【００５５】
本発明の第１実施の形態に係るコントロール部６５０は、パターン認識部６１０が交番パターンを認識する時、１フレーム間の全体サブフィールドの中の所定個数のサブフィールドが使われるように制御する。まず、コントロール部６５０は交番パターン認識情報をパターン認識部６１０から伝送される。次に、コントロール部６５０は、データ駆動部６６０にスキャンライン分量ずつ供給される映像信号のデータの中、遮断されるサブフィールドを選択する。次に、コントロール部６５０は、選択されるサブフィールドのアドレス期間の間にはデータ駆動部６６０のスイッチング素子をターンオフさせる遮断信号をデータ駆動部６６０に印加する。この際、遮断信号によって該サブフィールド期間には全画面にアドレスパルスが印加されない。それによって、スイッチング素子のスイッチング回数が減ることによって、ピーク電流が減少することになる。
【００５６】
一方、該サブフィールドのアドレスパルスが遮断されることにより、該サブフィールド期間には全画面の映像が表示されない休止期間を有する。このような休止期間が一定時間以上持続してからアドレスパルスが印加されて瞬間的に画面が表示されると、フリッカー現象が発生することになる。このような点を考慮して本発明の第１実施の形態に係るコントロール部６５０は遮断されるサブフィールドが互いに連続しないように制御する。即ち、休止期間が持続しないようにする。
【００５７】
また、本発明の第１ 実施の形態に係るコントロール部６５０は遮断されるサブフィールドによって表示される映像が歪曲されることを防止するために、１フレーム間に使われる残りのサブフィールドの組合によって印加されるサステインパルス個数を制御する。これは、映像信号が交番パターンである場合、全画面に表示される階調値はライン単位に対して同一又は類似するからである。即ち、交番パターンの映像信号が画面に具現される時には、多様な階調表現は要求されない。極端な例では、交番パターンが１つのラインでフルホワイト、次のラインでフルブラックである場合には、１フレーム中の１つのサブフィールドだけを使って、使用されるサブフィールドのサステインパルスの個数を調節すれば、映像が歪曲される事を防止することができる。これで、交番パターンを具現する時に映像が歪むことを防止することができる。
【００５８】
データ駆動部６６０はデータ整列部６４０から整列された映像信号に該当するアドレスパルスをプラズマディスプレイパネル６００に形成されたアドレス電極（Ｘ１ないしＸｍ）に印加する。この際、交番パターンの際、前述のコントロール部６０５の遮断信号によって所定のサブフィールドが遮断されてデータ駆動部のスイッチング回数が低減する。
【００５９】
スキャン駆動部６７０はプラズマディスプレイパネル６００に形成されたスキャン電極（Ｙ１ないしＹｎ）を駆動する。スキャン駆動部６７０はリセット期間の間セットアップパルスとセットダウンパルスを印加して、アドレス期間の間スキャンパルスを順次に印加して、サステイン期間の間サステインパルスを印加する。本発明の第１実施の形態に係るスキャン駆動部６７０は交番パターンの際、データ駆動部６６０のスイッチング回数が減少することにより、アドレス期間の間発生するピーク電流が低減する。また、スキャン駆動部６７０は使われるサブフィールドのサステイン期間の間、コントロール部６５０により制御されたサステインパルス個数を印加する。
【００６０】
サステイン駆動部６８０は、プラズマディスプレイパネル６００に共通電極をなして形成されたサステイン電極（Ｚ）を駆動する。サステイン駆動部６８０はアドレス期間の間正極性のバイアスパルスを印加し、サステイン期間の間サステイン放電をするための少なくとも１つ以上のサステインパルスを前記スキャンサステインパルスと交番して印加する。本発明の第１実施の形態に係るサステイン駆動部６８０は交番パターンの際、データ駆動部６６０のスイッチング回数が減少することにより、アドレス期間の間にサステイン駆動部６８０，スキャン駆動部６７０に発生するピーク電流が低減される。また、サステイン駆動部６８０は使われるサブフィールドのサステイン期間の間コントロール部６５０により制御されたサステインパルス個数を印加する。このような本発明の第１実施の形態に係るプラズマディスプレイ装置において交番パターンを認識するパターン認識部に対して、次の図７及び図８を通じて詳細に説明する。
【００６１】
図７は、本発明の第１実施の形態に係るパターン認識部を概略的に示すブロック図であり、図８は、本発明の第１実施の形態に係るパターン認識部の動作特性を説明するための図面である。
【００６２】
図７に示すように、本発明の第１実施の形態に係るパターン認識部６１０は、中心セル設定部７１０、第１しきい値比較部７２０、第２しきい値比較部７３０、第３しきい値比較部７４０及びパターン認識情報生成部７５０を含む。図７と図８を結付けて考察すると、パターン認識部６１０は次のように動作する。
【００６３】
中心セル設定部７１０は、１フレーム間、少なくとも２つ以上のセルを中心セルに設定する。全体画面に対して任意のセルを交番パターンを検出するための中心セルに設定する。即ち、ＮラインのＸＮを中心セルに設定する。
【００６４】
第１しきい値比較部７２０は設定された中心セルの階調値と水平方向に隣接するセルの階調値との差を第１しきい値と比較する。この際、第１しきい値比較部７２０は交番パターン検出を一層信頼性よくするために、中心セル（ＸＮ）を基準にして、少なくとも２つ以上の隣接するセルと階調値を比較することが好ましい。即ち、Ｎラインにおいて中心セル（ＸＮ）と、これと水平方向に隣接するセル（ＸＮ-１、ＸＮ+１）と階調値の差値を各々演算した後、その差値の平均値を第１しきい値と比較する。ここで、階調値の差が第１しきい値以下であれば、水平方向に隣接するセル間に階調値の差が小さいか無い場合であって、データ駆動部は前記セルに対しては同一、または、類似するスイッチング動作を行う。
【００６５】
第２しきい値比較部７３０は、第１しきい値比較部７２０から判断される第１しきい値以下である中心セル（ＸＮ）の階調値と垂直方向に隣接するセルの階調値との差を第２しきい値と比較する。即ち、Ｎラインにおいて中心セル（ＸＮ）とこれと垂直方向に隣接するＮ+１ラインのセル（ＸＮ＋１）と階調値の差値を演算した後、その差値を第２しきい値と比較する。ここで、階調値の差が第２しきい値以上であれば、垂直方向に隣接するセル間に階調値の大きい場合であって、データ駆動部は前記セルに対しては互いに異なるスイッチング動作を行う。 
【００６６】
例えば、Ｎラインの中心セル（ＸＮ）の階調値が小さく、Ｎ＋１ラインのセル（ＸＮ＋１）の階調値が大きい場合、中心セル（ＸＮ）は主に低階調を担当するサブフィールドでターンオンされて、Ｎ＋１ラインのセル（ＸＮ＋１）は主に非低階調を担当するサブフィールドでターンオンされる。低階調を担当するサブフィールドではＮラインの中心セル（ＸＮ）がターンオンされて、Ｎ＋１ラインのセル（ＸＮ＋１）はターンオフされて、高階調を担当するサブフィールドでは逆にスイッチングされる。
【００６７】
第３しきい値比較部７４０は第１しきい値比較部７２０から判断された結果と第２しきい値比較部７３０から判断された結果とにより、第１しきい値以下であり、第２しきい値以上である中心セルの個数を演算して第３しきい値と比較する。このように、１フレーム間の全体画面で中心セルの個数が第３しきい値以上であれば、該フレームは交番パターンに決定される。 
【００６８】
パターン認識情報生成部７５０は第３しきい値以上である時、フレームの映像信号を交番パターンに決定して、交番パターン認識情報を生成してコントロール部６５０に伝送する。
【００６９】
なお、第１しきい値比較部７２０が、設定された中心セルの階調値と水平方向に隣接するセルの階調値との差を第１しきい値と比較し、第２しきい値比較部７３０が、中心セル（ＸＮ）の階調値と垂直方向に隣接するセルの階調値との差を第２しきい値と比較し、第１しきい値比較部７２０の判断結果及び第２しきい値比較部７３０の判断結果を第３しきい値比較部７４０に入力し、第３しきい値比較部７４０が、第１しきい値比較部７２０の判断結果と第２しきい値比較部７３０の判断結果とに基づいて、第１しきい値以下且つ第２しきい値以上である中心セルの個数を演算し、第１しきい値以下且つ第２しきい値以上である中心セルの個数と第３しきい値と比較するようにしても良い。
【００７０】
また、第１しきい値比較部７２０が、設定された中心セルの階調値と水平方向に隣接するセルの階調値との差を第１しきい値と比較し、第２しきい値比較部７３０が、第１しきい値比較部７２０により第１しきい値以下であると判断された中心セル（ＸＮ）の階調値と垂直方向に隣接するセルの階調値との差を第２しきい値と比較し、第２しきい値比較部７３０によって第２しきい値以上であると判断された中心セルの情報を第３しきい値比較部７４０に出力し、第３しきい値比較部７４０が、第２しきい値比較部７３０で第２しきい値以上と判断された中心セルの個数と第３しきい値と比較するようにしても良い。
【００７１】
図９は、本発明の第１実施の形態に係るプラズマディスプレイ装置のコントロール部の制御動作を説明するための図面である。
【００７２】
図９を参照すると、データ駆動部のデータドライバーＩＣ（Ｉｎｔｅｇｒａｔｅｄ  Ｃｉｒｃｕｉｔ；図示していない）は、アドレス期間の間、図示された真理表により制御される。特に、本発明の第１実施の形態ではコントロール部により制御されるＬＢＬＫ９１０の真理値によってデータ駆動部６６０のデータドライバーＩＣの出力状態９２０が決定される。 
【００７３】
即ち、コントロール部は遮断しようとするサブフィールドのアドレス期間にはＬＢＬＫ９１０の真理値をＬＯＷに制御する。これによって、データドライバーＩＣの出力値がＬＯＷであるからアドレス電極にはアドレスパルスが印加されない。
【００７４】
また、１フレーム間使われるサブフィールドのアドレス期間には真理値をＨＩＧＨに印加してアドレスパルスがアドレス電極に印加される。
【００７５】
このように、本発明の第１実施の形態では入力される映像信号の階調値を比較して交番パターンを認識して、これによって使われるサブフィールドを減らすようにする。これで、アドレス駆動部のスイッチング回数を減少させて、サステイン駆動部及びスキャン駆動部が損傷することを防止することができる。
【００７６】
（第２実施の形態）
図１０は、本発明に第２実施の形態に係るプラズマディスプレイ装置を説明するためのブロック図である。 
【００７７】
図１０に示すように、本発明の第２実施の形態に係るプラズマディスプレイ装置は、プラズマディスプレイパネル１０００、映像信号処理部１０１０、サブフィールドマッピング部１０２０、パターン認識部１０３０、データ整列部１０４０、コントロール部１０５０、データ駆動部１０６０、スキャン駆動部１０７０及びサステイン駆動部１０８０を含む。 ここで、プラズマディスプレイパネル１００、映像信号処理部１０１０、サブフィールドマッピング部１０２０、データ整列部１０４０、コントロール部１０５０、データ駆動部１０６０、スキャン駆動部１０７０及びサステイン駆動部１０８０は図６に図示された本発明の第１実施の形態に係るプラズマディスプレイ装置の各機能部と同一な動作特性を有するので、省略することにする。
【００７８】
本発明の第２実施の形態に係るパターン認識部１０３０は、サブフィールドマッピング部１０２０の後段に位置する。即ち、サブフィールドマッピング部１０２０でマッピングされた映像信号のマッピングコードを比較し、Ｎ番目ラインの所定個数以上のセルがターンオンされて、Ｎ＋１番目ラインの所定個数以上のセルがターンオフされる交番パターンを認識する。即ち、本発明の第２実施の形態に係るパターン認識部１０３０は各サブフィールドにおいて全体セルに割り当てられる映像信号のマッピングコードを比較することにより、交番パターンで表示される映像信号を判断する。このために、パターン認識部１０３０は中心セルを設定して、予め設定されたしきい値と比較して交番パターンを検出する。これに関するより詳細な説明は、以後の図１１及び図１２を通じて説明することにする。
【００７９】
本発明の第２実施の形態に係るコントロール部１０５０も本発明の第１実施の形態でのように、交番パターン際、所定個数のサブフィールドを使用して、遮断されるサブフィールドが互いに連続しないように制御して、印加されるサブフィールドのサステインパルス個数を制御する。
【００８０】
図１１は、本発明の第２実施の形態に係るパターン認識部を概略的に示すブロック図であり、図１２は、本発明の第２実施の形態に係るパターン認識部の動作特性を説明するための図面である。
【００８１】
図１１に示すように、本発明の第２実施の形態に係るパターン認識部１０３０は、中心セル設定部１１１０、第１しきい値比較部１１２０、第２しきい値比較部１１３０、第３しきい値比較部１１４０及びパターン認識情報生成部１１５０を含む。図１１と図１２とを結付けて考察すると、パターン認識部１０３０は次のように動作する。
【００８２】
中心セル設定部１１１０は、１つのサブフィールド期間の間、少なくとも２つ以上のセルを中心セルに設定する。本発明の第２実施の形態では、本発明の第１実施の形態とは異なり、１つのサブフィールド期間単位で全体画面に対して任意のセルを交番パターンを検出するための中心セルに設定する。即ち、ＮラインのＸＮを中心セルに設定する。
【００８３】
第１しきい値比較部１１２０は、前記サブフィールド期間の間、中心セルと同一なラインで中心セルと同一なマッピングコードを有するセルの個数を第１しきい値と比較する。即ち、Ｎラインにおいて中心セル（ＸＮ）に対し同一なラインのセル（・・・、ＸＮ-１、ＸＮ+１、 ・・・）の中で、中心セル（ＸＮ）と同一なマッピングコードを有するセルの個数を演算し、その個数を第１しきい値と比較する。ここで、該サブフィールド期間の間、同一なマッピングコードを有するセルの個数が第１しきい値以上であれば、Ｎラインにおいてデータ駆動部のスイッチング素子が略同一にスイッチングされる。この際、マッピングコードはアドレスパルスを印加するためにサブフィールド単位でマッピングされる０と１の値を有するコードである。 
【００８４】
第２しきい値比較部１１３０は、前記サブフィールド期間の間、第１しきい値比較部１１２０から判断される第１しきい値以上である中心セルの次のラインで中心セルと互いに異なるマッピングコードを有するセルの個数を第２しきい値と比較する。即ち、Ｎラインにおいて中心セル（ＸＮ）に対しＮ+１ラインのセル（・・・、ＸＮ+１-１、ＸＮ+１+１、・・・）の中で、中心セル（ＸＮ）と互いに異なるマッピングコードを有するセルの個数を演算して、その個数を第２しきい値と比較する。ここで、該サブフィールド期間の間、互いに異なるマッピングコードを有するセルの個数が第２しきい値以上であれば、Ｎ+１ラインではＮラインとデータ駆動部のスイッチング素子が略互いに反対にスイッチングされる。
【００８５】
第３しきい値比較部１１４０は、第１しきい値比較部１１２０から判断された結果と第２しきい値比較部１１３０から判断された結果とによって第１しきい値と第２しきい値以上である中心セルの個数を演算して第３しきい値と比較する。このように、１つのサブフィールド間の全体画面で中心セルの個数が第３しきい値以上であれば、１フレーム間、該サブフィールドは交番パターンに決定される。 
【００８６】
パターン認識情報生成部１１５０は、第３しきい値以上である時、１フレーム間、前記サブフィールドの映像信号を交番パターンに決定して、交番パターン認識情報を生成してコントロール部１０５０に伝送する。
【００８７】
このように、本発明の第２実施の形態ではパターン認識部をサブフィールドマッピング部の後段に位置させて、サブフィールド単位で交番パターンを検出することにより、本発明の第１実施の形態よりさらに信頼性よくデータ駆動部のスイッチング動作を検出することができる。また、１フレーム間に使われるサブフィールドの交番パターンを效率よく検出することができる。
【図面の簡単な説明】
【００８８】
【図１】一般的なプラズマディスプレイパネルの構造を示す図面である。
【図２】従来のプラズマディスプレイ装置の画像を具現する方法を示す図面である。
【図３】従来のプラズマディスプレイ装置を概略的に示す図面である。
【図４】従来の交番パターンが具現されるプラズマディスプレイ装置を示す図面である。
【図５】従来の交番パターンを具現するアドレスパルスの波形図である。
【図６】本発明の第１実施の形態に係るプラズマディスプレイ装置を説明するためのブロック図である。
【図７】本発明の第１実施の形態に係るパターン認識部を概略的に示すブロック図である。
【図８】本発明の第１実施の形態に係るパターン認識部の動作特性を説明するための図面である。
【図９】本発明の第１実施の形態に係るプラズマディスプレイ装置のコントロール部の制御動作を説明するための図面である。
【図１０】本発明の第２実施の形態に係るプラズマディスプレイ装置を説明するためのブロック図である。
【図１１】本発明の第２実施の形態に係るパターン認識部を概略的に示すブロック図である。
【図１２】本発明の第２実施の形態に係るパターン認識部の動作特性を説明するための図面である。
【符号の説明】
【００８９】
１００    前面基板
１０２    スキャン電極
１０３    サステイン電極
１０４、１１５    誘電体層
１０５    保護層
１１０    背面基板
１１２    隔壁
１１３    アドレス電極
１１４    蛍光体
３００、６００、１０００    プラズマディスプレイパネル
３１０、６２０、１０１０    映像信号処理部
３２０、６３０、１０２０    サブフィールドマッピング部
３３０、６４０、１０４０    データ整列部
３４０、６６０、１０６０    データ駆動部
３５０、６７０、１０７０    スキャン駆動部
３６０、６８０、１０８０    サステイン駆動部
３７０、６５０、１０５０    コントロール部
４１０    サステイン駆動部
４１３    エネルギー回収回路
４２０    スキャン駆動部
６１０、１０３０    パターン認識部
７１０、１１１０    中心セル設定部
７２０、１１２０    第１しきい値比較部
７３０、１１３０    第２しきい値比較部
７４０、１１４０    第３しきい値比較部
７５０、１１５０    パターン認識情報生成部
【図２】
2006018305.tif 000003
【図３】
2006018305.tif 000004
【図４】
2006018305.tif 000005
【図５】
2006018305.tif 000006
【図６】
2006018305.tif 000007
【図７】
2006018305.tif 000008
【図８】
2006018305.tif 000009
【図９】
2006018305.tif 000010
【図１０】
2006018305.tif 000011
【図１１】
2006018305.tif 000012
【図１２】
2006018305.tif 000013
【図１】
2006018305.tif 000014